(57)【特許請求の範囲】
【請求項１】
少なくとも１人の対象ユーザの地理的位置を取得し、
前記少なくとも１人の対象ユーザの地理的位置に応じて各対象ユーザと監視装置との位置関係が予め決められた条件を満たすか否かを検知し、
前記位置関係が前記予め決められた条件を満たす場合、前記監視装置の監視情報に応じて通知情報を生成し、
前記少なくとも１人の対象ユーザの全部又は一部が所持する装置に前記通知情報をプッシュ配信し、
環境状況変化情報及びユーザ状況変化情報を含む監視情報を前記監視装置により取得する、
ことを含み、
前記環境状況変化情報は、温度変化情報、湿度変化情報、空気品質変化情報、水消費量変化情報、電力消費量変化情報、及び、ガス消費量変化情報の少なくとも１つを含み、
前記ユーザ状況変化情報は、体温変化情報、心拍数変化情報、血圧変化情報、及び感情変化情報の少なくとも１つを含む、
情報プッシュ配信方法。
【請求項２】
前記少なくとも１人の対象ユーザの地理的位置に応じて各対象ユーザと監視装置との位置関係が予め決められた条件を満たすか否かを検知することは、
前記少なくとも１人の対象ユーザが監視されるユーザと監視するユーザとを含む場合、前記監視されるユーザの地理的位置と前記監視するユーザの地理的位置とがそれぞれ前記監視装置の監視エリアの中にあるか否かを検知し、
前記監視されるユーザの地理的位置が前記監視エリアの中にあるとともに、前記監視するユーザの地理的位置が前記監視エリアの外にある場合、各対象ユーザと前記監視装置との位置関係が前記予め決められた条件を満たすことを判断する、
ことを含む、請求項１に記載の方法。
【請求項３】
前記少なくとも１人の対象ユーザの地理的位置に応じて各対象ユーザと監視装置との位置関係が予め決められた条件を満たすか否かを検知することは、
各対象ユーザの地理的位置が前記監視装置の監視エリアの中にあるか否かを検知し、
各対象ユーザの地理的位置が前記監視エリアの外にある場合、各対象ユーザと前記監視装置との位置関係が前記予め決められた条件を満たすことを判断する、
ことを含む、請求項１に記載の方法。
【請求項４】
前記監視装置の監視情報に応じて通知情報を生成することは、
前記監視情報が予め決められた変化条件を満たすか否かを検知し、
前記監視情報が前記予め決められた変化条件を満たす場合、前記監視装置によって映像情報を収集し、
前記映像情報に応じて映像形式で前記通知情報を生成する、
ことを含む、請求項１〜３のいずれか１つに記載の方法。
【請求項５】
前記少なくとも１人の対象ユーザの全部又は一部が所持する装置に前記通知情報をプッシュ配信することは、
前記少なくとも１人の対象ユーザが監視されるユーザと監視するユーザとを含む場合、前記監視するユーザが所持する装置に前記通知情報をプッシュ配信する、
ことを含む、請求項１〜４のいずれか１つに記載の方法。
【請求項６】
少なくとも１人の対象ユーザの地理的位置を取得するように構成された位置取得モジュールと、
前記少なくとも１人の対象ユーザの地理的位置に応じて各対象ユーザと監視装置との位置関係が予め決められた条件を満たすか否かを検知するように構成された位置検知モジュールと、
前記位置関係が前記予め決められた条件を満たす場合、前記監視装置の監視情報に応じて通知情報を生成するように構成された通知生成モジュールと、
前記少なくとも１人の対象ユーザの全部又は一部が所持する装置に前記通知情報をプッシュ配信するように構成された通知プッシュ配信モジュールと、
環境状況変化情報及びユーザ状況変化情報を含む監視情報を前記監視装置により取得するように構成された情報取得モジュールと、
を備え、
前記環境状況変化情報は、温度変化情報、湿度変化情報、空気品質変化情報、水消費量変化情報、電力消費量変化情報、及び、ガス消費量変化情報の少なくとも１つを含み、
前記ユーザ状況変化情報は、体温変化情報、心拍数変化情報、血圧変化情報、及び感情変化情報の少なくとも１つを含む、
情報プッシュ配信装置。
【請求項７】
前記位置検知モジュールは、第１検知サブモジュールと、第１判断サブモジュールとを備え、
前記第１検知サブモジュールは、前記少なくとも１人の対象ユーザが監視されるユーザと監視するユーザとを含む場合、前記監視されるユーザの地理的位置と前記監視するユーザの地理的位置とがそれぞれ前記監視装置の監視エリアの中にあるか否かを検知するように構成され、
前記第１判断サブモジュールは、前記監視されるユーザの地理的位置が前記監視エリアの中にあるとともに、前記監視するユーザの地理的位置が前記監視エリアの外にある場合、各対象ユーザと前記監視装置との位置関係が前記予め決められた条件を満たすことを判断するように構成されている、請求項６に記載の装置。
【請求項８】
前記位置検知モジュールは、第２検知サブモジュールと、第２判断サブモジュールとを備え、
前記第２検知サブモジュールは、各対象ユーザの地理的位置が前記監視装置の監視エリアの中にあるか否かを検知するように構成され、
前記第２判断サブモジュールは、各対象ユーザの地理的位置が前記監視エリアの外にある場合、各対象ユーザと前記監視装置との位置関係が前記予め決められた条件を満たすことを判断するように構成されている、請求項６に記載の装置。
【請求項９】
前記通知生成モジュールは、情報検知サブモジュールと、映像収集サブモジュールと、通知生成サブモジュールとを備え、
前記情報検知サブモジュールは、前記監視情報が予め決められた変化条件を満たすか否かを検知するように構成され、
前記映像収集サブモジュールは、前記監視情報が前記予め決められた変化条件を満たす場合、前記監視装置によって映像情報を収集するように構成され、
前記通知生成サブモジュールは、前記映像情報に応じて映像形式で前記通知情報を生成するように構成されている、
請求項６〜８のいずれか１つに記載の装置。
【請求項１０】
前記通知プッシュ配信モジュールは、更に、前記少なくとも１人の対象ユーザが監視されるユーザと監視するユーザとを含む場合、前記監視するユーザが所持する装置に前記通知情報をプッシュ配信するように構成されている、請求項６〜９のいずれか１つに記載の装置。
【請求項１１】
コンピュータを動作させるとき、請求項１〜５のいずれか１つに記載の情報プッシュ配信方法をコンピュータに実行させるコンピュータプログラム。
【請求項１２】
請求項１１に記載のコンピュータプログラムが記憶されたコンピュータ可読記憶媒体。
【発明の詳細な説明】
【技術分野】
【０００１】
（関連出願の相互参照）
本出願は、２０１４年１２月１１日に出願された中国特許出願番号２０１４１０７６８１５２．６に基づいて優先権を主張するものであり、その全体の内容が参照により本明細書に援用される。
【０００２】
本開示は、インテリジェント制御技術に関し、より具体的には、情報プッシュ配信方法及び装置に関する。
【背景技術】
【０００３】
セキュリティ及び保護システムの重要なコンポーネントとして、監視システムが、人々の生命の安全及び財産の安全のために保障を提供する。
【０００４】
日常生活において、最も一般的な監視システムは、通常、監視カメラで構成されている。例えば、ホーム監視システムにおいて、ユーザは、住居のドア及び室内に監視カメラを配置する。監視モードがオンされた状況下において、監視カメラは、監視エリアの中の映像情報を収集し、閲覧するユーザのために、収集された映像情報を関連装置内に記憶する。
【０００５】
しかしながら、前述した監視技術は、次の問題を有する。ユーザが外出する状況下において、他人の来訪や窃盗などの異常状況が発生したとき、ユーザは、依然としてこれらの異常状況を知らされない。ユーザが監視記録を閲覧することによってその関連状況を知ることができても、それは通常遅すぎる。このため、前述した監視技術は、監視の即時性及び有効性が乏しい。
【発明の概要】
【０００６】
従来技術に存在する監視の即時性及び有効性が乏しいという問題を解決するために、本開示の実施形態は、情報プッシュ方法及び装置を提供する。その技術的解決策は、以下のようなものである。
【０００７】
本開示の実施形態の第１態様によれば、
少なくとも１人の対象ユーザの地理的位置を取得し、
前記少なくとも１人の対象ユーザの地理的位置に応じて各対象ユーザと監視装置との位置関係が予め決められた条件を満たすか否かを検知し、
前記位置関係が前記予め決められた条件を満たす場合、前記監視装置の監視情報に応じて通知情報を生成し、
前記少なくとも１人の対象ユーザの全部又は一部が所持する装置に前記通知情報をプッシュ配信する、
ことを含む、情報プッシュ配信方法を提供する。
【０００８】
或いは、前記少なくとも１人の対象ユーザの地理的位置に応じて各対象ユーザと監視装置との位置関係が予め決められた条件を満たすか否かを検知することは、
前記少なくとも１人の対象ユーザが監視されるユーザと監視するユーザとを含む場合、前記監視されるユーザの地理的位置と前記監視するユーザの地理的位置とがそれぞれ前記監視装置の監視エリアの中にあるか否かを検知し、
前記監視されるユーザの地理的位置が前記監視エリアの中にあるとともに、前記監視するユーザの地理的位置が前記監視エリアの外にある場合、各対象ユーザと前記監視装置との位置関係が前記予め決められた条件を満たすことを判断する、
ことを含む。
【０００９】
或いは、前記少なくとも１人の対象ユーザの地理的位置に応じて各対象ユーザと監視装置との位置関係が予め決められた条件を満たすか否かを検知することは、
各対象ユーザの地理的位置が前記監視装置の監視エリアの中にあるか否かを検知し、
各対象ユーザの地理的位置が前記監視エリアの外にある場合、各対象ユーザと前記監視装置との位置関係が前記予め決められた条件を満たすことを判断する、
ことを含む。
【００１０】
或いは、前記方法は、環境状況変化情報及び／又はユーザ状況変化情報を含む監視情報を前記監視装置により取得することを更に含み、
前記環境状況変化情報は、温度変化情報、湿度変化情報、空気品質変化情報、水消費量変化情報、電力消費量変化情報、ガス消費量変化情報、装置のオンオフ状態情報、及び装置の動作情報の少なくとも１つを含み、前記ユーザ状況変化情報は、体温変化情報、心拍数変化情報、血圧変化情報、及び感情変化情報の少なくとも１つを含む。
【００１１】
或いは、前記監視装置の監視情報に応じて通知情報を生成することは、
前記監視情報が予め決められた変化条件を満たすか否かを検知し、
前記監視情報が前記予め決められた変化条件を満たす場合、前記監視装置によって映像情報を収集し、
前記映像情報に応じて映像形式で前記通知情報を生成する、
ことを含む。
【００１２】
或いは、前記少なくとも１人の対象ユーザの全部又は一部が所持する装置に前記通知情報をプッシュ配信することは、
前記少なくとも１人の対象ユーザが監視されるユーザと監視するユーザとを含む場合、前記監視するユーザが所持する装置に前記通知情報をプッシュ配信する、
ことを含む。
【００１３】
本開示の実施形態の第２態様によれば、
少なくとも１人の対象ユーザの地理的位置を取得するように構成された位置取得モジュールと、
前記少なくとも１人の対象ユーザの地理的位置に応じて各対象ユーザと監視装置との位置関係が予め決められた条件を満たすか否かを検知するように構成された位置検知モジュールと、
前記位置関係が前記予め決められた条件を満たす場合、前記監視装置の監視情報に応じて通知情報を生成するように構成された通知生成モジュールと、
前記少なくとも１人の対象ユーザの全部又は一部が所持する装置に前記通知情報をプッシュ配信するように構成された通知プッシュ配信モジュールと、
を備える、情報プッシュ配信装置を提供する。
【００１４】
或いは、前記位置検知モジュールは、第１検知サブモジュールと、第１判断サブモジュールとを備え、
前記第１検知サブモジュールは、前記少なくとも１人の対象ユーザが監視されるユーザと監視するユーザとを含む場合、前記監視されるユーザの地理的位置と前記監視するユーザの地理的位置とがそれぞれ前記監視装置の監視エリアの中にあるか否かを検知するように構成され、
前記第１判断サブモジュールは、前記監視されるユーザの地理的位置が前記監視エリアの中にあるとともに、前記監視するユーザの地理的位置が前記監視エリアの外にある場合、各対象ユーザと前記監視装置との位置関係が前記予め決められた条件を満たすことを判断するように構成されている。
【００１５】
或いは、前記位置検知モジュールは、第２検知サブモジュールと、第２判断サブモジュールとを備え、
前記第２検知サブモジュールは、各対象ユーザの地理的位置が前記監視装置の監視エリアの中にあるか否かを検知するように構成され、
前記第２判断サブモジュールは、各対象ユーザの地理的位置が前記監視エリアの外にある場合、各対象ユーザと前記監視装置との位置関係が前記予め決められた条件を満たすことを判断するように構成されている。
【００１６】
或いは、前記装置は、環境状況変化情報及び／又はユーザ状況変化情報を含む監視情報を前記監視装置により取得するように構成された情報取得モジュールを更に備え、
前記環境状況変化情報は、温度変化情報、湿度変化情報、空気品質変化情報、水消費量変化情報、電力消費量変化情報、ガス消費量変化情報、装置のオンオフ状態情報、及び装置の動作情報の少なくとも１つを含み、前記ユーザ状況変化情報は、体温変化情報、心拍数変化情報、血圧変化情報、及び感情変化情報の少なくとも１つを含む。
【００１７】
或いは、前記通知生成モジュールは、情報検知サブモジュールと、映像収集サブモジュールと、通知生成サブモジュールとを備え、
前記情報検知サブモジュールは、前記監視情報が予め決められた変化条件を満たすか否かを検知するように構成され、
前記映像収集サブモジュールは、前記監視情報が前記予め決められた変化条件を満たす場合、前記監視装置によって映像情報を収集するように構成され、
前記通知生成サブモジュールは、前記映像情報に応じて映像形式で前記通知情報を生成するように構成されている、
【００１８】
或いは、前記通知プッシュ配信モジュールは、更に、前記少なくとも１人の対象ユーザが監視されるユーザと監視するユーザとを含む場合、前記監視するユーザが所持する装置に前記通知情報をプッシュ配信するように構成されている。
【００１９】
本開示の実施形態の第３態様によれば、
プロセッサと、
前記プロセッサによって実行可能な命令を記憶するメモリと、
を備える情報プッシュ配信装置であって、
前記プロセッサは、
少なくとも１人の対象ユーザの地理的位置を取得し、
前記少なくとも１人の対象ユーザの地理的位置に応じて各対象ユーザと監視装置との位置関係が予め決められた条件を満たすか否かを検知し、
前記位置関係が前記予め決められた条件を満たす場合、前記監視装置の監視情報に応じて通知情報を生成し、
前記少なくとも１人の対象ユーザの全部又は一部が所持する装置に前記通知情報をプッシュ配信する、
ように構成されている、情報プッシュ配信装置を提供する。
【００２０】
本開示の実施形態によって提供される技術解決策は、次のような有利な効果を有する。各対象ユーザの地理的位置に応じて各対象ユーザと監視装置との位置関係が予め決められた条件を満たすか否かを検知し、前記位置関係が予め決められた条件を満たす場合、監視装置の監視情報に応じて通知情報を生成し、少なくとも１人の対象ユーザの全部又は一部が所持する装置に前記通知情報をプッシュ配信することによって、従来技術における監視の即時性及び有効性が乏しいという問題を解決し、監視情報をプッシュ通知の形態で適時にユーザに知らせ、それにより、監視の即時性及び有効性を向上させることを実現することができる。
【００２１】
前述の一般的説明及び以下の詳細な説明の両方は、例示的で説明的なものであり、クレーム化された本発明を限定するものではないことは理解されるべきである。
【図面の簡単な説明】
【００２２】
本明細書に組み込まれ、本明細書の一部を構成する添付図面は、本発明と一致する実施形態を例示するものであり、その記述と共に、本発明の原理を説明するのに役立つ。
【図１】図１は、例示的な実施形態に係る実施環境を示す概略図である。
【図２】図２は、例示的な実施形態に係る情報プッシュ配信方法を示すフローチャートである。
【図３】図３は、他の例示的な実施形態に係る情報プッシュ配信方法を示すフローチャートである。
【図４】図４は、例示的な実施形態に係る情報プッシュ配信装置を示すブロック図である。
【図５】図５は、他の例示的な実施形態に係る情報プッシュ配信装置を示すブロック図である。
【図６】図６は、例示的な実施形態に係る装置を示すブロック図である。
【００２３】
前記図面には本開示によって開示された実施形態が表され、詳細な説明は以下に提供される。これらの図面は、本開示の範囲を何ら限定するものではなく、特定の実施形態を参照することによって当業者に本開示の概念を説明するものである。
【発明を実施するための形態】
【００２４】
添付図面に示されている例示的な実施形態、実施例を詳細に参照する。以下の説明は、添付の図面を参照し、異なる図面における同一の数字は、特に示さない限り、同一又は類似の要素を表す。例示的な実施形態の以下の説明に記載されている実施例は、本発明と一致する全ての実施例を表すものではない。むしろ、それらは、添付の特許請求の範囲に記載の本発明に関連する態様と一致する装置及び方法の単なる例示である。
【００２５】
図１は、例示的な実施形態に係る監視システム（すなわち、実施環境）を示す概略図である。本監視システムは、ホーム監視システム又は一般的な監視システムであってもよい。本監視システムは、ルータ１２０と、少なくとも１つの端末１４０と、少なくとも１つの監視装置１６０とを備えている。
【００２６】
ルータ１２０は、インターネットに接続されている。ルータ１２０は、ネットワークを介して端末１４０に接続されている。ルータ１２０は、外部ネットワークを介して端末１４０に接続されてもよいし、内部ネットワークを介して端末１４０に接続されてもよい。端末１４０は、携帯電話、タブレットＰＣ、電子書籍リーダー、携帯情報端末、携帯型ラップトップコンピュータなどのモバイル端末であってもよいし、スマートバンド、スマートウォッチ、スマートヘルメットなどのウェアラブル端末であってもよい。
【００２７】
同様に、ルータ１２０は、ネットワークを介して監視装置１６０に接続されている。ルータ１２０は、外部ネットワークを介して監視装置１６０に接続されてもよいし、内部ネットワークを介して監視装置１６０に接続されてもよい。監視装置１６０は、カメラ、スマートドアベル、スマートバンド等の装置であってもよい。
【００２８】
図２は、例示的な実施形態に係る情報プッシュ配信方法を示すフローチャートであり、図１の監視システムのルータに情報プッシュ配信方法を適用した例を示すものである。本情報プッシュ配信方法は、以下のステップを含んでいる。
【００２９】
ステップ２０２においては、少なくとも１人の対象ユーザの地理的位置を取得する。
【００３０】
ステップ２０４においては、少なくとも１人の対象ユーザの地理的位置に応じて各対象ユーザと監視装置との位置関係が予め決められた条件を満たすか否かを検知する。
【００３１】
ステップ２０６においては、前記位置関係が予め決められた条件を満たす場合、監視装置の監視情報に応じて通知情報を生成する。
【００３２】
ステップ２０８においては、少なくとも１人の対象ユーザの全部又は一部が所持する装置に前記通知情報をプッシュ配信する。
【００３３】
要するに、本実施形態によって提供される情報プッシュ配信方法は、各対象ユーザの地理的位置に応じて各対象ユーザと監視装置との位置関係が予め決められた条件を満たすか否かを検知し、前記位置関係が予め決められた条件を満たす場合、監視装置の監視情報に応じて通知情報を生成し、少なくとも１人の対象ユーザの全部又は一部が所持する装置に前記通知情報をプッシュ配信することによって、従来技術における監視の即時性及び有効性が乏しいという問題を解決し、監視情報をプッシュ通知の形態で適時にユーザに知らせ、それにより、監視の即時性及び有効性を向上させることを実現することができる。
【００３４】
図３は、他の例示的な実施形態に係る情報プッシュ配信方法を示すフローチャートであり、図１の監視システムのルータに情報プッシュ配信方法を適用した例を示すものである。本情報プッシュ配信方法は、以下のステップを含んでいる。
【００３５】
ステップ３０１においては、少なくとも１人の対象ユーザの地理的位置を取得する。
【００３６】
ルータは、少なくとも１人の対象ユーザの地理的位置を取得する。対象ユーザは、ルータとネットワーク接続する装置を所持するユーザである。可能な適用状況として、２人の対象ユーザがおり、一方が家に１人でおり且つスマートバンドを着けた子供で、他方が外出し且つ携帯電話を所持する親であることが想定される。家に配置されたルータは、Ｗｉ-Ｆｉ（ワイヤレス・フィディリティ）ネットワークなどの内部ネットワークを介してスマートバンドに接続されるとともに、外部ネットワークを介して携帯電話に接続されている。ルータは、子供及び親の地理的位置をそれぞれ取得する。
【００３７】
第１の可能な実施形態において、ルータは、各ユーザが所持する装置のＧＰＳ（Global Positioning System, 全地球測位システム）情報に応じて各対象ユーザの地理的位置を取得してもよい。各対象ユーザの特定の位置や各対象ユーザとルータとの間の正確な距離など、正確な地理的位置は、ＧＰＳ情報を通じて取得することができる。
【００３８】
第２の可能な実施形態において、ルータは、それ自身と各対象ユーザが所持する装置との間のネットワーク接続パラメータを取得し、当該ネットワーク接続パラメータに応じて各対象ユーザの地理的位置を判断してもよい。例えば、内部ネットワークを介して装置と接続されていることをルータが見出したとき、ルータは、装置を所持している対象ユーザの地理的位置がそれ自身の近くの領域内にあると判断してもよい。或いは、外部ネットワークを介して装置と接続されていることをルータが見出したとき、ルータは、装置を所持している対象ユーザの地理的位置がそれ自身から遠く離れた領域内にあると判断してもよい。更に、ネットワーク接続パラメータは、信号強度、ネットワーク接続の安定性などであってもよい。各対象ユーザとルータとのおおよその距離など、比較的大まかな地理的位置は、ネットワーク接続パラメータを介して取得することができる。
【００３９】
ステップ３０２においては、少なくとも１人の対象ユーザの地理的位置に応じて各対象ユーザと監視装置との位置関係が予め決められた条件を満たすか否かを判断する。
【００４０】
各対象ユーザの地理的位置を取得するルータの目的は、各対象ユーザが監視装置の監視エリアの中にあるか否かを判断すること、すなわち、各対象ユーザと監視装置との位置関係が予め決められた条件を満たすか否かを判断することにある。予め決められた条件は、実際の監視要求に応じて予め設定され、異なる監視要求に応じて異なる予め決められた条件が設定されてもよい。以下には、実際の監視要求を組合せた２つの可能な実施形態が示されている。
【００４１】
第１の可能な実施形態において、ステップ３０２は、以下の２つのサブステップを含んでいる。
【００４２】
第１に、少なくとも１人の対象ユーザが監視されるユーザと監視するユーザとを含む場合、監視されるユーザの地理的位置と監視するユーザの地理的位置とがそれぞれ監視装置の監視エリアの中にあるか否かを検知する。 
【００４３】
第２に、監視されるユーザの地理的位置が監視エリアの中にあるとともに、監視するユーザの地理的位置が監視エリアの外にある場合、各対象ユーザと監視装置との位置関係が予め決められた条件を満たすことを判断する。
【００４４】
本実施形態において、予め決められた条件は、監視されるユーザが監視エリアの中におり、監視するユーザが監視エリアの外にいることであり、それにより、家に１人でいる子供に対する外出中の親による安全監視や、家に１人でいる老人に対する外出中のその子供による安全監視などの、実際の監視要求を満たすことができる。
【００４５】
第２の可能な実施形態において、ステップ３０２は、以下の２つのサブステップを含んでいる。
【００４６】
第１に、各対象ユーザの地理的位置が監視装置の監視エリアの中にあるか否かを検知する。
【００４７】
第２に、各対象ユーザの地理的位置が監視エリアの外にある場合、各対象ユーザと監視装置との位置関係が予め決められた条件を満たすことを判断する。
【００４８】
本実施形態において、予め決められた条件は、各対象ユーザが監視エリアの外にいることであり、それにより、誰にも看守されていない家の安全監視や誰にも看守されていない店の安全監視などの実際の監視要求を満たすことができる。
【００４９】
前記位置関係が予め決められた条件を満たす場合、ルータは、ステップ３０４を行い、監視装置の監視情報に応じて通知情報が生成される。また、ルータは、ステップ３０４を行う前に、まず、ステップ３０３によって監視情報を取得する。
【００５０】
ステップ３０３において、監視情報は、監視装置によって取得され、当該監視情報は、環境状況変化情報及び／又はユーザ状況変化情報を含んでいる。
【００５１】
環境状況変化情報は、温度変化情報、湿度変化情報、空気品質変化情報、水消費量変化情報、電力消費量変化情報、ガス消費量変化情報、装置のオンオフ状態情報、及び装置の動作情報の少なくとも１つを含んでいる。異なる実際の監視要求に対して異なる環境状況変化情報があり、環境状況変化情報を取得するように構成された監視装置も、それに応じて異なる。いくつかの可能な実施形態において、監視装置が温度センサを備える監視装置を含む場合、当該監視装置は、温度センサによって周囲環境の温度変化情報を取得し、取得した温度変化情報をルータに送信してもよく、監視装置がスマートテレビを含む場合、当該スマートテレビは、それ自身のオンオフ状態情報をルータに送信してもよく、監視装置がスマートドアベルを含む場合、当該ドアベルは、それ自身の動作情報をルータに送信してもよい。例えば、スマートドアベルを例に挙げると、誰かがドアベルを鳴らしたとき、スマートドアベルはドアベル触発通知をルータに送信し、それに応じて、ルータは、ドアベル触発通知をスマートドアベルから受信してもよい。
【００５２】
また、ユーザ状況変化情報は、体温変化情報、心拍数変化情報、血圧変化情報、及び感情変化情報の少なくとも１つを含んでいる。異なる実際の監視要求に対して異なるユーザ状況変化情報があり、ユーザ状況変化情報を取得するように構成された監視装置も、それに応じて異なる。体温変化情報を取得するように構成された温度センサ、心拍数変化情報を取得するように構成された心電計、感情変化情報を取得するように構成された脳波計などの１以上の生体内監視装置が監視装置内に配置されもよい。監視装置は、スマートバンド、スマートウォッチ、スマートヘルメット、及び類似の装置などであってもよい。
【００５３】
ステップ３０４において、前記位置関係が予め決められた条件を満たす場合、監視装置監視情報に応じて通知情報が生成される。
【００５４】
各対象ユーザと監視装置との位置関係が予め決められた条件を満たす場合、ルータは、前記取得した監視情報が予め決められた変化条件を満たすか否かを検知し、前記取得した監視情報が予め決められた変化条件を満たす場合、前記通知情報が生成される。前記通知情報は、限定されるものではないが、テキスト形式の通知情報、音声形式の通知情報、画像形式の通知情報、及び映像形式の通知情報を含んでいる。
【００５５】
異なる監視情報に対して異なる予め決められた変化条件がルータによって設定されてもよい。例えば、監視情報がドアベルの動作情報であるとき、対応する予め決められた変化条件は、ドアベル触発通知が受信されることであってもよい。さらに、監視情報が体温変化情報であるとき、対応する予め決められた変化条件は、体温変化の上昇が予め決められた閾値よりも大きいことであってもよい。実際の応用において、異なる予め決められた変化条件は、実際の要求に応じて設定されてもよく、このことは、本開示の実施形態に基づいて当業者に考慮され且つ取得され得るので、ここでは省略する。
【００５６】
また、通知情報が映像形式の通知情報である場合、ステップ３０４は以下のサブステップを含む。
【００５７】
第１に、監視情報が予め決められた変化条件を満たすか否かを検知する。
【００５８】
第２に、監視情報が予め決められた変化条件を満たす場合、監視装置によって映像情報を収集する。
【００５９】
第３に、映像情報に応じて映像形式で通知情報を生成する。
【００６０】
例えば、監視装置がスマートドアベル及びカメラを備え、誰かがドアベルを鳴らしたとき、ドアベルがドアベル触発通知をルータ及びカメラのそれぞれに送信する。それに応じて、ドアベルからドアベル触発通知を受信した後、カメラが監視エリア（ドアエリア等）の映像情報を収集し、収集した映像情報をルータに送信する。ルータは、カメラから映像情報を受信し、前述した映像情報を含む通知情報を生成する。
【００６１】
ステップ３０５において、少なくとも１人の対象ユーザの全部又は一部が所持する装置に前記通知情報をプッシュ配信する。
【００６２】
通知情報を生成した後、ルータは、少なくとも１人の対象ユーザの全部又は一部が所持する装置に前記通知情報をプッシュ配信する。可能な実施形態において、少なくとも１人の対象ユーザが監視されるユーザと監視するユーザとを含むとき、監視するユーザが所持する装置に前記通知情報をプッシュ配信する。或いは、ユーザが、ルータにプッシュ通知を受信するように要求される装置を事前に構成し、前記通知情報を生成した後、ルータが、ユーザによって事前に構成された装置に前記通知情報をプッシュ配信してもよい。
【００６３】
或いは、ルータは、重点監視モードや通常監視モードなどの少なくとも２つの監視モードを事前に設定してもよい。ステップ３０２の後、ルータは、更に、以下のステップを行ってもよい。１、前記位置関係が予め決められた条件を満たす場合、現在の監視モードが重点監視モードと判断される。重点監視モードにおいて、ルータは、監視装置によって監視情報を取得し、当該監視情報に応じてユーザにプッシュ通知を送信する。２、前記位置関係が予め決められた条件を満たさない場合、現在の監視モードが通常監視モードと判断される。通常監視モードにおいて、ルータは、監視装置の監視情報を取得しない。或いは、ルータは、監視装置の監視情報を記憶するのみで、ユーザにプッシュ通知を送信しない。
【００６４】
要するに、本実施形態によって提供される情報プッシュ配信方法は、各対象ユーザの地理的位置に応じて各対象ユーザと監視装置との位置関係が予め決められた条件を満たすか否かを検知し、前記位置関係が予め決められた条件を満たす場合、監視装置の監視情報に応じて通知情報を生成し、少なくとも１人の対象ユーザの全部又は一部が所持する装置に前記通知情報をプッシュ配信することによって、従来技術における監視の即時性及び有効性が乏しいという問題を解決し、監視情報をプッシュ通知の形態で適時にユーザに知らせ、それにより、監視の即時性及び有効性を向上させることを実現することができる。
【００６５】
また、本実施形態によって提供される情報プッシュ配信方法は、各対象ユーザと監視装置との位置関係を自動的に取得し、更に、当該位置関係に応じて対象ユーザに通知情報をプッシュ配信することを必要とするか否かを判断することによって、この過程中におけるユーザの手動構成を必要とせず、監視システムは、対象ユーザの地理的位置の観点において実際の監視要求を自動的に知得してもよく、監視システム全体を様々な実際の状況に適用でき、より自動的且つインテリジェントになり、それにより、ユーザ体験を非常に向上させることができる。
【００６６】
また、本実施形態によって提供される情報プッシュ配信方法は、ユーザに映像形式の通知情報をプッシュ配信してもよく、それにより、ユーザは、より具体的且つ視覚的に監視エリアの状況を知得することができる。
【００６７】
次に、本開示の実施形態によって提供される技術解決策を、２つの実際の監視要求を例に挙げて述べ説明する。
【００６８】
第１実施例において、実際の監視要求は、外出中の親が家に１人でいる子供を安全監視する必要があることである。監視システムは、ルータと、携帯端末と、スマートバンドと、スマートドアベルと、カメラとを備えている。携帯端末は親が所持し、スマートバンドは子供が所持し、ルータは家の中に配置されている。ルータは、スマートバンドのＧＰＳ情報によって子供の地理的位置を取得するとともに携帯端末のＧＰＳ情報によって親の地理的位置を取得する。子供の地理的位置が監視エリアの中（例えば、家の中）にあり、親の地理的位置が監視エリアの外にあることをルータが検知したとき、現在の状況は、子供が家に１人でいるとともに親が外出中であることを示す。このとき、監視システムは、重点モードに入る。重点モードにおいて、誰かがスマートベルを鳴らしたとき、スマートベルがドアベル触発通知をルータとカメラのそれぞれに送信する。それに応じて、ドアベル触発通知を受け取った後、カメラが監視エリア（例えば、ドアエリア）の映像情報を収集し、当該収集された映像情報をルータに送信する。ルータは、カメラから映像情報を受信し、映像情報を含む通知情報を生成し、親の携帯端末に当該通知情報を送信する。それに応じて、携帯端末は、前記通知情報を受信するとともに表示し、更に、親に向けてカメラに対応する監視エリアの状況の生中継を実現し、それにより、親は関連する訪問者を適時に知得することができる。
【００６９】
第２実施例において、実際の監視要求は、外出中の子供が家に１人でいる老人を安全監視する必要があることである。監視システムは、ルータと、携帯端末と、スマートバンドとを備えている。携帯端末は、子供が所持し、スマートバンドは、老人が所持し、ルータは、家の中に配置されている。ルータは、スマートバンドのＧＰＳ情報によって老人の地理的位置を取得するとともに携帯端末のＧＰＳ情報によって子供の地理的位置を取得する。老人の地理的位置が監視エリアの中（例えば、家の中）にあり、子供の地理的位置が監視エリアの外にあることをルータが検知したとき、現在の状況は、老人が家に１人でいるとともに子供が外出中であることを示す。このとき、監視システムは、重点モードに入る。重点モードにおいては、スマートバンドの心電計が老人の心拍数変化情報を収集し、当該心拍数変化情報をルータに送信する。心拍数変化の範囲が心拍数変化情報に応じて予め決められた値よりも大きいことを検知したとき、ルータは、通知情報を携帯端末に送信し、関連する状況を外出中の子供に知らせることができ、子供は対応する措置を適時に行うことができる。
【００７０】
本開示の装置の実施形態が、以下に示され、本開示の方法の実施形態を実行するように使用されることができる。本開示の装置の実施形態に開示されていない詳細は、本開示の方法の実施形態を参照することができる。
【００７１】
図４は、例示的な実施形態に係る情報プッシュ配信装置を示すブロック図であり、当該プッシュ配信装置は、ソフトウェア、ハードウェア、又はその組合せによって図１の適用状況におけるルータの一部又は全体として構成されている。本情報プッシュ配信装置は、位置取得モジュール４１０と、位置検知モジュール４２０と、通知生成モジュール４３０と、通知プッシュ配信モジュール４４０とを備えている。
【００７２】
位置取得モジュール４１０は、少なくとも１人の対象ユーザの地理的位置を取得するように構成されている。
【００７３】
位置検知モジュール４２０は、少なくとも１人の対象ユーザの地理的位置に応じて各対象ユーザと監視装置との位置関係が予め決められた条件を満たすか否かを検知するように構成されている。
【００７４】
通知生成モジュール４３０は、前記位置関係が予め決められた条件を満たす場合、監視装置の監視情報に応じて通知情報を生成するように構成されている。
【００７５】
通知プッシュ配信モジュール４４０は、少なくとも１人の対象ユーザの全部又は一部が所持する装置に前記通知情報をプッシュ配信するように構成されている。
【００７６】
要するに、本実施形態によって提供される情報プッシュ配信装置は、各対象ユーザの地理的位置に応じて各対象ユーザと監視装置との位置関係が予め決められた条件を満たすか否かを検知し、前記位置関係が予め決められた条件を満たす場合、監視装置の監視情報に応じて通知情報を生成し、少なくとも１人の対象ユーザの全部又は一部が所持する装置に前記通知情報をプッシュ配信することによって、従来技術における監視の即時性及び有効性が乏しいという問題を解決し、監視情報をプッシュ通知の形態で適時にユーザに知らせ、それにより、監視の即時性及び有効性を向上させることを実現することができる。
【００７７】
図５は、他の例示的な実施形態に係る情報プッシュ配信装置を示すブロック図であり、当該プッシュ配信装置は、ソフトウェア、ハードウェア、又はその組合せによって図１の適用状況におけるルータの一部又は全体として構成されている。情報プッシュ配信装置は、位置取得モジュール４１０と、位置検知モジュール４２０と、通知生成モジュール４３０と、通知プッシュ配信モジュール４４０とを備えている。
【００７８】
位置取得モジュール４１０は、少なくとも１人の対象ユーザの地理的位置を取得するように構成されている。
【００７９】
位置検知モジュール４２０は、少なくとも１人の対象ユーザの地理的位置に応じて各対象ユーザと監視装置との位置関係が予め決められた条件を満たすか否かを検知するように構成されている。
【００８０】
第１の可能な実施形態において、位置検知モジュール４２０は、第１検知サブモジュール４２０ａと、第１判断サブモジュール４２０ｂとを備えている。
【００８１】
第１検知サブモジュール４２０ａは、少なくとも１人の対象ユーザが監視されるユーザと監視するユーザとを含む場合、監視されるユーザの地理的位置と監視するユーザの地理的位置とがそれぞれ監視装置の監視エリアの中にあるか否かを検知するように構成されている。
【００８２】
第１判断サブモジュール４２０ｂは、監視されるユーザの地理的位置が監視エリアの中にあるとともに、監視するユーザの地理的位置が監視エリアの外にある場合、各対象ユーザと監視装置との位置関係が予め決められた条件を満たすことを判断するように構成されている。
【００８３】
第２の可能な実施形態において、位置検知モジュール４２０は、第２検知サブモジュール４２０ｃと、第２判断サブモジュール４２０ｄとを備える。
【００８４】
第２検知サブモジュール４２０ｃは、各対象ユーザの地理的位置が監視装置の監視エリアの中にあるか否かを検知するように構成されている。
【００８５】
第２判断サブモジュール４２０ｄは、各対象ユーザの地理的位置が監視エリアの外にある場合、各対象ユーザと監視装置との位置関係が予め決められた条件を満たすことを判断するように構成されている。
【００８６】
通知生成モジュール４３０は、前記位置関係が予め決められた条件を満たす場合、監視装置の監視情報に応じて通知情報を生成するように構成されている。
【００８７】
また、通知生成モジュール４３０は、情報検知サブモジュール４３０ａと、映像収集サブモジュール４３０ｂと、通知生成サブモジュール４３０ｃとを備えている。
【００８８】
情報検知サブモジュール４３０ａは、前記監視情報が予め決められた変化条件を満たすか否かを検知するように構成されている。
【００８９】
映像収集サブモジュール４３０ｂは、前記監視情報が予め決められた変化条件を満たす場合、監視装置によって映像情報を収集するように構成されている。
【００９０】
通知生成サブモジュール４３０ｃは、前記映像情報に応じて映像形式で前記通知情報を生成するように構成されている。
【００９１】
通知プッシュ配信モジュール４４０は、少なくとも１人の対象ユーザの全部又は一部が所持する装置に前記通知情報をプッシュ配信するように構成されている。
【００９２】
また、通知プッシュ配信モジュール４４０は、更に、少なくとも１人の対象ユーザが監視されるユーザと監視するユーザとを含む場合、監視するユーザが所持する装置に前記通知情報をプッシュ配信するように構成されている。
【００９３】
また、前記装置は、更に、情報取得モジュール４５０を備えている。
【００９４】
情報取得モジュール４５０は、環境状況変化情報及び／又はユーザ状況変化情報を含む監視情報を監視装置により取得するように構成されている。
【００９５】
環境状況変化情報は、温度変化情報、湿度変化情報、空気品質変化情報、水消費量変化情報、電力消費量変化情報、ガス消費量変化情報、装置のオンオフ状態情報、及び装置の動作情報の少なくとも１つを含み、ユーザ状況変化情報は、体温変化情報、心拍数変化情報、血圧変化情報、及び感情変化情報の少なくとも１つを含んでいる。
【００９６】
要するに、本開示によって提供される情報プッシュ配信装置は、各対象ユーザの地理的位置に応じて各対象ユーザと監視装置との位置関係が予め決められた条件を満たすか否かを検知し、前記位置関係が予め決められた条件を満たす場合、監視装置の監視情報に応じて通知情報を生成し、少なくとも１人の対象ユーザの全部又は一部が所持する装置に前記通知情報をプッシュ配信することによって、従来技術における監視の即時性及び有効性が乏しいという問題を解決し、監視情報をプッシュ通知の形態で適時にユーザに知らせ、それにより、監視の即時性及び有効性を向上させることを実現することができる。
【００９７】
また、本開示によって提供される情報プッシュ配信装置は、各対象ユーザと監視装置との位置関係を自動的に取得し、更に、当該位置関係に応じて対象ユーザに通知情報をプッシュ配信することを必要とするか否かを判断することによって、この過程中におけるユーザの手動構成を必要とせず、監視システムは、対象ユーザの地理的位置の観点において実際の監視要求を自動的に知得してもよく、監視システム全体を様々な実際の状況に適用でき、より自動的且つインテリジェントになり、それにより、ユーザ体験を非常に向上させることができる。
【００９８】
また、本実施形態によって提供される情報プッシュ配信装置は、ユーザに映像形式の通知情報をプッシュ配信してもよく、それにより、ユーザは、より具体的且つ視覚的に監視エリアの状況を知得することができる。
【００９９】
前述した実施形態の装置に関し、個々のモジュールの動作を行う具体的な方式が情報プッシュ配信方法に関する実施形態に詳細に述べられているので、ここでは詳細に述べない。
【０１００】
図６は、例示的な実施形態に係る装置ブロック図である。例えば、装置６００は、ルータであってもよい。
【０１０１】
図６を参照すると、装置６００は、処理コンポーネント６０２、メモリ６０４、電力コンポーネント６０６、及び通信コンポーネント６１６の１以上のコンポーネントを備えてもよい。
【０１０２】
処理コンポーネント６０２は、一般的には、アドレス解決動作、データ送受信動作、及びフロー制御動作などの装置６００の全体動作を制御する。処理コンポーネント６０２は、前述した方法のステップの全部又は一部を行うように、命令を実行する１以上のプロセッサ６１８を備えてもよい。さらに、処理コンポーネント６０２は、処理コンポーネント６０２と他のコンポーネントとの間のインターフェースを容易にする１以上のモジュールを含んでもよい。
【０１０３】
メモリ６０４は、装置６００の動作をサポートするために様々なタイプのデータを記憶するように構成されている。そのようなデータの例には、装置６００上で動作するアプリケーション又は方法のための命令及びユーザのデータが含まれる。メモリ６０４は、例えば、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気又は光ディスクなどの任意のタイプの揮発性又は不揮発性メモリ装置、又はその組合せを用いて実現されてもよい。メモリ６０４は、更に、図２又は３に示す方法の全部又は一部のステップを実現するために、１以上のプロセッサ６１８によって実行可能に構成された１以上のモジュールを含んでいる。
【０１０４】
電力コンポーネント６０６は、装置６００の様々なコンポーネントに対して電力を提供する。電力コンポーネント６０６は、電力管理システム、１以上の電源、及び、装置６００の電力の生成、制御、分配に関連する他のコンポーネントを備えてもよい。
【０１０５】
通信コンポーネント６１６は、装置６００と他の装置との間の有線又は無線通信を容易にするように構成されている。装置６００は、ＷｉＦｉなどの通信規格に基づく無線ネットワークにアクセスすることができる。例示的な実施形態において、通信コンポーネント６１６は、放送チャンネルを介して外部の放送制御システムからの放送信号又は放送関連情報を受信する。例示的な実施形態において、通信コンポーネント６１６は、放送チャンネルを介して外部に放送信号又は放送関連情報を送信する。
【０１０６】
例示的な実施形態において、装置６００は、前述した方法を行うために、特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、コントローラ、マイクロコントローラ、マイクロプロセッサ、又は他の電子部品などの１以上で実現されてもよい。
【０１０７】
例示的な実施形態においては、例えば、前述した方法を行うために、装置６００のプロセッサ６１８によって実行可能なメモリ６０４に含まれる非一時的なコンピュータ可読記憶媒体も提供される。例えば、例えば、非一時的なコンピュータ可読記憶媒体は、ＲＯＭ、ＲＡＭ、ＣＤ−ＲＯＭ、磁気テープ、フロッピー（登録商標）ディスク、光データ記憶装置等であってもよい。
【０１０８】
本発明の他の実施形態は、ここに開示された本発明の明細書及びプラクティスの考慮から当業者には明らかであろう。本願は、本発明の一般的な原理に従う任意の変形、使用、又は適応をカバーし、当該技術分野において公知又は慣行の範囲内にある本開示から逸脱するものを含むことが意図される。明細書及び実施例は、以下の特許請求の範囲によって示される本発明の真の範囲及び精神と共に、例示的のみとして考慮されることが意図される。
【０１０９】
本発明が前述され且つ添付の図面に図示された正確な構成に限定されるものではなく、様々な修正及び変更がその範囲から逸脱することなくなされてもよいことは認識されるであろう。本発明の範囲は添付の特許請求の範囲によってのみ限定されることが意図される。
【図１】
0006374025.tif 000002
【図２】
0006374025.tif 000003
【図３】
0006374025.tif 000004
【図４】
0006374025.tif 000005
【図５】
0006374025.tif 000006
【図６】
0006374025.tif 000007